(57)【要約】      （修正有）【課題】器具の持ち易さを向上させることができるとともに、デザイン性・娯楽性に優れるグリップ及び当該グリップを有する器具を提供する。【解決手段】細長の部位を有するペン本体１に装着されるグリップ２であって、可撓性を有する板状部材からなる湾曲部４と、湾曲部の後端に設けられ、ペン本体の後端部分を保持する保持部５と、湾曲部の前端に設けられ、ペン本体の前端部分を挿通させる挿通孔３１を有する位置調節部３とを備え、挿通孔にペン本体を挿通させ、位置調節部をペン本体に沿ってスライド移動させることにより、位置調節部と保持部間との距離を伸縮させる。筆記道具や、スプーン等の食器など、細長の部位を有する器具において、板状の湾曲部を使用者の掌中にフィットする形状及びサイズに変形できるので、器具の持ち易さが向上する。【選択図】図１
0003185954.tif 000002
【実用新案登録請求の範囲】
【請求項１】
細長の部位を有する器具に装着されるグリップであって、
可撓性を有する板状部材からなる湾曲部と、
前記湾曲部の後端に設けられ、前記器具の後端部分を保持する保持部と、
前記湾曲部の前端に設けられ、前記器具の前端部分を挿通させる挿通孔を有する位置調節部と
を備え、
前記挿通孔に前記器具を挿通させ、前記位置調節部を前記器具に沿ってスライド移動させることにより、当該位置調節部と前記保持部間との距離を伸縮させる
ことを特徴とするグリップ。
【請求項２】
前記湾曲部は、前記器具を介して対向させて配置される一対の板状部材から形成されていることを特徴とする請求項１に記載のグリップ。
【請求項３】
前記位置調節部には、前記器具の前記前端部分を覆う把持部を備え、
前記把持部は、前記湾曲部と反対側に向けて突出した凸状をなしていることを特徴とする請求項１又は２に記載のグリップ。
【請求項４】
前記器具の後端には、開口部が形成され、
前記保持部の後端には、前記開口部に差し込まれる差込片が形成されていることを特徴とする請求項１乃至３のいずれかに記載のグリップ。
【請求項５】
前記保持部及び前記位置調節部の中間位置には、前記器具に嵌め込まれたスペーサーをさらに備えることを特徴とする請求項１乃至４のいずれかに記載のグリップ。
【請求項６】
前記湾曲部、前記保持部、及び前記位置調節部とは一体形成されていることを特徴とする請求項１乃至５のいずれかに記載のグリップ。
【請求項７】
請求項１乃至６のいずれかに記載のグリップを備えたことを特徴とする器具。
【請求項８】
請求項１乃至６のいずれかに記載のグリップであって、前記器具が先端部側に筆記機能を有する筆記具であることを特徴とする筆記具。
【考案の詳細な説明】
【技術分野】
【０００１】
本考案は、例えば、筆記用具や、調理器具のほか、歯ブラシやカミソリ等の日用品、スポーツ用品など、細長な部位を有する器具に装着されるグリップ、並びにこのグリップを備えた器具及び筆記具に関する。
【背景技術】
【０００２】
従来より、例えば、鉛筆・ボールペン等の筆記用具や、スプーン・フォーク・ナイフ等の食器、おたま・フライ返し等の調理器具のほか、歯ブラシやカミソリ等の日用品、スポーツ用品など、使用者が握って使用する細長な部位を有する器具がある。このような器具の中で、例えば、筆記用具などでは、器具を持つ部分であるグリップ部分に種々の工夫がなされている（例えば、特許文献１）。
【０００３】
特許文献１に開示された技術は、 筆記用具、グリップ部材の表面にゴムやシリコーン部材を形成させたものである。これにより、筆記用具を持った際における滑りやすさを解消するとともに、弾性による指の疲れやすさを防止することができる。
【先行技術文献】
【特許文献】
【０００４】
【特許文献１】特開平１１−３１４４８５号公報
【考案の概要】
【考案が解決しようとする課題】
【０００５】
しかしながら、特許文献１に開示された技術では、ペン先部分にゴム等の弾性部材からなるグリップ部分を形成させていることから、筆記用具を把持した際、従来通り、指先のみで筆記道具を把持することとなる。この状態では、掌中と器具とが接触する表面積が小さいため、把持状態が安定せず、持ち難いという問題があった。
【０００６】
そこで、本考案は、以上の点に鑑みてなされたもので、使用者の掌中にフィットする形状及びサイズに変形させて、掌中と器具とが接触する表面積を増加させ、器具の持ち易さを向上させることができる器具及び器具に装着されるグリップを提供することを目的とする。
【課題を解決するための手段】
【０００７】
上記課題を解決すべく本考案は、細長の部位を有する器具に装着されるグリップであって、可撓性を有する板状部材からなる湾曲部と、湾曲部の後端部分に設けられ、器具の後端部分を保持する保持部と、湾曲部の前端に設けられ、器具の前端部分を挿通させる挿通孔を有する位置調節部とを備え、挿通孔に器具を挿通させ、位置調節部を器具に沿ってスライド移動させることにより、当該位置調節部と保持部間との距離を伸縮させることを特徴とする。なお、本考案において、保持部による器具の後端部分に対する保持の方式としては、嵌合等により後端部分を固定する場合のほか、保持部に貫通された挿通孔に、器具の後端部分を摺動可能に挿通させる場合も含まれる。
【０００８】
このような考案によれば、器具の後端部分を保持部で保持し、挿通孔に器具の先端を挿通させた状態で、位置調節部を器具に沿ってスライド移動させて、位置調節部及び保持部間の距離を伸縮させるので、位置調節部及び保持部間の距離の伸縮により、可撓性を有する板状の湾曲部が膨らんだり縮んだりして、湾曲部全体の形状を任意の形状に変化させることができる。そして、このような湾曲部の膨張・収縮及び変形を適宜調整することにより、使用者の掌中にフィットする形状及びサイズとすることができるため、その結果、グリップと掌中とが接触する表面積を増加させて、持ち易さを向上させることができる。
【０００９】
また、本考案では、湾曲部を各使用者の掌中に応じて変形させることができるため、その変形がユニークであり、娯楽性も向上されるとともに、そのユニークな変形を前提としてグリップをデザインできることから、デザインの多様化を図ることができる。
【００１０】
上記考案において、湾曲部は、器具を介して対向させて配置される一対の板状部材から形成されていることが好ましい。この場合、湾曲部は器具を介して対向配置される一対の板状部材から形成されるため、例えば、一方の板状部材を掌に沿って変形させるとともに、他方の板状部材を親指に沿って変形させることができる。その結果、より使用者の掌中に接触する湾曲部の表面積を増加させて、器具の持ち易さを向上させることができる。
【００１１】
上記考案において、位置調節部には、器具の前端部分を覆う把持部を備え、把持部は、湾曲部と反対側に向けて突出した凸状をなしていることが好ましい。この場合には、湾曲部と反対側に向けて突出した把持部が器具の前端部分に配置されているため、例えば、グリップを筆記具に用いた場合には、器具の前端を指で掴む際に、把持部の凸状によって筆記具を掴み易くすることができる。なお、この把持部を、ゴム、熱可塑性エラストマー等の弾性体で形成させることにより、滑りにくくすることもできる。
【００１２】
上記考案において、器具の後端部分には、開口部が形成され、保持部の後端部分には、開口部に差し込まれる差込片が形成されていることが好ましい。この場合には、後端部分に開口部が形成されている器具に差込片を差し込むことで、器具を保持させることができるため、例えば、各メーカーから製造され、規格サイズの異なるボールペンの芯に対応して利用することができ、汎用性の高いグリップを提供することができる。また、各メーカーの芯のサイズに対応して装着することができるので、芯のサイズに応じたケース部材を製造する必要がなくなり、その結果、器具の部品点数を減らし、製造コストを軽減させることができる。
【００１３】
上記考案において、保持部及び位置調節部の中間位置には、器具に嵌め込まれたスペーサーをさらに備える好ましい。この場合には、位置調節部３のスライド移動を制限することができるため、使用者の掌中にフィットする形状及びサイズを維持させることができる。
【００１４】
上記考案において、湾曲部、保持部、及び位置調節部とは一体形成されていることが好ましい。この場合には、各部が一体的に形成しているので、部品点数及び組立て工数を減少することができ、製造コストを低減させることができる。また、部品点数及び組立て工数を減少することにより、組み立て精度が向上される。
【００１５】
上記のようなグリップは、他の考案である器具及び筆記具に用いることができる。すなわち、器具の考案は、細長の部位を有する器具であって、上記構成を有するグリップを備えていることを特徴としている。
【００１６】
このような本考案によれば、細長の部位を有する器具を握る際、湾曲部を使用者の掌中にフィットする形状及びサイズに変形させることができるので、例えば、鉛筆、ボールペン等の筆記道具や、スプーン、フォーク、ナイフ等の食器、おたま・フライ返し等の調理器具のほか、歯ブラシやカミソリ等の日用品、スポーツ用品など、各種器具の持ち易さを向上させることができる。
【００１７】
また、筆記具の考案は、器具が先端部側に筆記機能を有する筆記具であって、上記構成を有するグリップを備えていることを特徴としている。このような本考案によれば、鉛筆、ボールペン等の筆記道具を握る際、湾曲部を使用者の掌中にフィットする形状及びサイズに変形させることができるので、筆記具の持ち易さを向上させて、用紙等に筆記させることができる。
【考案の効果】
【００１８】
本考案によれば、鉛筆、ボールペン等の筆記道具や、スプーン、フォーク、ナイフ等の食器など、細長の部位を有する器具において、板状の湾曲部を使用者の掌中にフィットする形状及びサイズに変形させて、器具の持ち易さを向上させることができる。
【図面の簡単な説明】
【００１９】
【図１】図１（ａ）及び（ｂ）は、第１実施形態に係るグリップの全体構成を示す斜視図である。
【図２】図２は、第１実施形態に係るグリップに取り付けられるスペーサーを示す斜視図である。
【図３】図３（ａ）及び（ｂ）は、第１実施形態に係るグリップを備えた各種器具を示す斜視図である。
【図４】（ａ）は、第２実施形態に係る筆記具の全体構成を示す斜視図であり、（ｂ）は、第２実施形態に係る筆記具の変形状態を示す斜視図である。
【図５】図４（ａ）に示す筆記具の６面図であり、（ａ）は背面図、（ｂ）は平面図、（ｃ）は正面図、（ｄ）は底面図、（ｅ）は左側面図、（ｆ）は右側面図である。
【図６】図４（ｂ）に示す筆記具の６面図であり、（ａ）は背面図、（ｂ）は平面図、（ｃ）は正面図、（ｄ）は底面図、（ｅ）は左側面図、（ｆ）は右側面図である。
【図７】（ａ）は、第２実施形態の変形例に係る筆記具の全体構成を示す斜視図であり、同図（ｂ）は、その変形例に係る筆記具の変形状態を示す斜視図である。
【図８】図７（ａ）に示す筆記具の６面図であり、（ａ）は背面図、（ｂ）は平面図、（ｃ）は正面図、（ｄ）は底面図、（ｅ）は左側面図、（ｆ）は右側面図である。
【図９】図７（ｂ）に示す筆記具の６面図であり、（ａ）は背面図、（ｂ）は平面図、（ｃ）は正面図、（ｄ）は底面図、（ｅ）は左側面図、（ｆ）は右側面図である。
【図１０】（ａ）は、第２実施形態の変形例に係る筆記具の全体構成を示す斜視図であり、同図（ｂ）は、その変形例に係る筆記具の変形状態を示す斜視図である。
【図１１】図１０（ａ）に示す筆記具の６面図であり、（ａ）は背面図、（ｂ）は平面図、（ｃ）は正面図、（ｄ）は底面図、（ｅ）は左側面図、（ｆ）は右側面図である。
【図１２】図１０（ｂ）に示す筆記具の６面図であり、（ａ）は背面図、（ｂ）は平面図、（ｃ）は正面図、（ｄ）は底面図、（ｅ）は左側面図、（ｆ）は右側面図である。
【図１３】（ａ）及び（ｂ）は、変形例２に係る筆記具の使用状態を示す説明図である。
【考案を実施するための形態】
【００２０】
以下に添付図面を参照して、本考案に係るグリップ、並びにこのグリップを備えた器具及び筆記具の各実施形態を詳細に説明する。
【００２１】
［第１実施形態］
（グリップ）
先ず、初めに本考案に係るグリップについて説明する。図１（ａ）及び（ｂ）は、第１実施形態に係るグリップの全体構成を示す斜視図である。また、図２は、第１実施形態に係るグリップに取り付けられるスペーサーを示す斜視図である。
【００２２】
第１実施形態に係るグリップ２は、細長な部位を有する器具１に装着され、使用者に握られる部材であり、図１（ａ）に示すように、板状部材からなる湾曲部４と、湾曲部４の後端部分に設けられ、器具１を保持する保持部５と、湾曲部４の前端に設けられた位置調節部３とから構成される。
【００２３】
グリップ２の保持部５は、プラスチック製、陶器、金属製、紙製、木製等の素材で形成され、細長な部位を有する器具１の後端部分１３を保持する部材である。第１実施形態では、軸部１１の径よりも厚みを有しており、軸部１１の軸上であって位置調節部３と向かい合う面に、軸部１１の径と略同径の係合孔５１が形成されている。そして、この係合孔５１に器具１の後端部分１３を挿通させることで、器具１を保持するようになっている。
【００２４】
なお、第１実施形態において、保持部５は、係合孔５１に器具１の後端部分１３を差し込んで係合する構成としたが、本考案は、これに限定するものではなく、器具１を保持できればよく、例えば、軸部１１の中間部分の外周を把持して保持するなど、様々な手法を採用することができる。また、保持部５による後端部分１３に対する保持の方式としては、嵌合や係合等により後端部分１３を固定する場合のほか、保持部５を貫通する挿通孔を設け、この挿通孔に後端部分１３を摺動可能に挿通させるようにしてもよい。
【００２５】
位置調節部３は、プラスチック製、陶器、金属製、紙製、木製等の素材で形成されており、軸部１１の径よりも厚みを有し、器具１の前端部分１２を覆うように内部中空に形成されている。本実施形態において位置調節部３は、軸部１１の軸上に当該位置調節部３を貫通する挿通孔３１が形成されている。この挿通孔３１は、軸部１１の径よりも大きい径を有する孔となっており、器具１と接触しないようになっている。
【００２６】
なお、位置調節部３及び保持部５は、図１（ａ）に示すように、略三角柱の形状をなしているが、その形状についても限定するものではなく、軸部１１の後端部分１３を保持できればよく、例えば、球体、円柱、四角柱など種々の形状とすることができる。
【００２７】
そして、この保持部５と位置調節部３との間に湾曲部４が形成されている。湾曲部４は、合成樹脂、紙、金属等の可撓性を有し、弾性的に湾曲する部材で形成された、厚みの薄い板状部材であり、図１（ａ）に示すように、器具１の方向とは反対方向に向けて突出するように湾曲される。
【００２８】
なお、図１（ａ）に示すグリップ２は、湾曲部４を一枚の板状部材によって形成されたが、本考案は、これに限定するものではなく、図１（ｂ）に示すように、器具１を介して対向させて配置された一対の板状部材４１，４２からなる湾曲部４ａを備えたグリップ２ａとしてもよい。この場合でも、一対の板状部材４１，４２の両端は、位置調節部３と保持部５とにそれぞれ連結されている。
【００２９】
このような構成を有するグリップ２及びグリップ２ａは、位置調節部３を掴み、保持部５側から器具１を位置調節部３側に押し出して、位置調節部３を軸部１１に沿ってスライド移動させると、図１（ａ）及び（ｂ）に示すように、位置調節部３及び保持部５間の距離が短くなり、湾曲部４の板状部材は、その可撓性によって器具１が位置する方向とは反対方向に向けて湾曲されるようになっている。
【００３０】
また、このようなグリップ２及びグリップ２ａには、図２（ａ）及び（ｂ）に示すように、器具１に着脱可能に取り付けられるスペーサー６を設けてもよい。このスペーサー６は、軸部１１が挿通される挿通孔６１を有する筒状の部材であり、軸部１１に嵌合されて軸部１１の所定位置に固定される。このスペーサー６を軸部１１の所定位置に固定することで、位置調節部３のスライド移動を制限するようになっている。
【００３１】
なお、図２において、スペーサー６は、位置調節部３と保持部５との間に位置させたが、位置調節部３よりも器具１の先端側に取り付けてもよい。この場合には、位置調節部３とスペーサー６とが接触して、位置調節部３の位置を固定することができるので、板状部材の湾曲状態を維持することができる。これにより、使用者がグリップ２を握っていない場合であっても、湾曲部４の変形状態を維持させることができるため、その結果、器具を任意の姿勢や状態でテーブル等に置くことができる。
【００３２】
したがって、例えば、器具として、スプーン、フォーク、ナイフ等の食器を用いた場合には、器具が直接テーブルに触れることを防止できるため、衛生的であり安全性が向上される。また、スペーサーは、軸部１１に着脱可能であり、その形状及び大きさについても任意であり、複数種類のスペーサーを目的にあわせて軸部１１に取り付けることができるようになっている。
【００３３】
（器具）
次に、上述したグリップを備える器具について説明する。図３（ａ）及び（ｂ）は、第１実施形態に係るグリップ２ａを適用した各種器具を示す斜視図である。なお、ここでは、グリップとして一対の板状部材４１，４２を有するグリップ２ａを用いて説明するが、一枚の板状部材からなるグリップ２についても適用可能である。
【００３４】
図３（ａ）は、第１実施形態に係るグリップ２ａが装着されたフライ返し１０ａを示す斜視図である。このフライ返し１０ａは、調理の際に使用される調理器具であり、細長の部位である軸部１１と、軸部１１の前端部分１２に薄板で、その上面全体が面一に形成されている返し部１５とが形成されている。
【００３５】
そして、このフライ返し１０ａにグリップ２が装着されている。具体的に、保持部５には、保持部５を貫通する挿通孔５３が設けられ、この挿通孔５３に後端部分１３が摺動可能に挿通されている。さらに、位置調節部３の挿通孔３１に軸部１１が挿通されており、フライ返し１０ａの返し部１５は位置調節部３から外部に突き出した構成となっている。
【００３６】
また、第１実施形態に係るグリップ２ａは、例えば、図３（ｂ）に示すように、日用品である歯ブラシ１０ｂの器具本体に装着されて利用することができる。この歯ブラシ１０ｂは、歯の汚れを取るための日用品であり、細長の部位である軸部１１と、軸部１１の前端部分１２に、刷毛を多数束ねた毛束が複数配されたヘッド部１４とを有している。
【００３７】
そして、この歯ブラシ１０ｂに、グリップ２ａが装着されている。具体的に、保持部５には保持部５を貫通する挿通孔５３が設けられ、この挿通孔５３に歯ブラシ１０ｂの後端部分１３が摺動可能に挿通されている。さらに、位置調節部３の挿通孔３１に軸部１１が挿通されており、歯ブラシ１０ｂのヘッド部１４は位置調節部３から外部に突き出した構成となっている。
【００３８】
（作用・効果）
このような第１実施形態によれば、挿通孔３１に軸部１１を挿通させ、位置調節部３を軸部１１に沿ってスライド移動させることにより、位置調節部３及び保持部５間の距離を伸縮させることができる。そして、この位置調節部３及び保持部５間の伸縮により、板状部材が湾曲されて、湾曲部４が膨らんだり縮んだりされ、板状部材の可撓性・柔軟性から、湾曲部４全体の形状を任意の形状に変化させることができる。このような湾曲部４の膨張・収縮及び変形を適宜調整することにより、使用者の掌中にフィットする形状及びサイズとすることができ、その結果、グリップと掌中とが接触する表面積が増加し、器具を持ち易さを向上させることができる。
【００３９】
また、図１（ｂ）に示すように、湾曲部４ａを一対の板状部材とすることで、一対の板状部材４１，４２が、軸部１１を介して反対側に湾曲され、湾曲部４ａ全体の形状を楕円や略菱形とさせることができる。このように、全体の形状を楕円や略菱形に変形可能であるため、グリップ２を握る際、例えば、一方の板状部材４１を掌に沿って変形させるとともに、他方の板状部材４２を親指に沿って変形させることができる。したがって、第１実施形態によれば、使用者の掌中に接触する湾曲部４ａの表面積をさらに増加させて、器具の持ち易さをより向上させることができる。
【００４０】
さらに、第１実施形態では、湾曲部４が各使用者の掌中に応じて変形するため、変形がユニークであり、娯楽性も向上されるとともに、そのユニークな変形を前提として器具をデザインできることから、デザインの多様化を期待することができる。また、第１実施形態では、器具１に嵌め込まれたスペーサー６が備えているので、位置調節部３のスライド移動を制限することができ、その結果、使用者の掌中にフィットする形状及びサイズを維持させることができる。
【００４１】
なお、本考案に係るグリップが適用される器具としては、図３（ａ）及び（ｂ）に例示した器具のほか、おたまなどのほかの調理器具や、カミソリなどのほかの日用品のほか、スプーン、フォーク、ナイフ等の食器、スポーツ用品、及びボールペン、鉛筆等の筆記道具など種々の器具が挙げられる。
【００４２】
［第２実施形態］
次いで、本考案に係る第２実施形態について説明する。上記実施形態では、器具んび本考案のグリップを装着して用いた場合を説明したが、本実施形態では、上述したグリップを、ボールペン内に装填されるリフィル用の芯に適用して、全体で筆記具として用いる場合を例に説明する。
【００４３】
図４（ａ）は、第２実施形態に係る筆記具の全体構成を示す斜視図であり、同図（ｂ）は、第２実施形態に係る筆記具の変形時における状態を示す斜視図である。図５（ａ）〜（ｆ）は、図４（ａ）に示す筆記具の６面図であり、図６（ａ）〜（ｆ）は、図４（ｂ）に示す筆記具の６面図である。
【００４４】
第２実施形態に係る筆記具１００は、細長の部位を有して筆記機能を有するペン本体１と、このペン本体１の外周において着脱可能又は固着可能に設けられたグリップ２とから構成されている。
【００４５】
ペン本体１は、紙などに文字などを筆記することができる一般的な筆記具であり、第２実施形態においては、ボールペン内に装填されるリフィル用の芯が用いられている。なお、筆記具としては、リフィル用の芯に限定されるものではなく、ボールペン、鉛筆、サインペンなどを用いることができる。
【００４６】
そして、このペン本体１は、内部が中空に形成されインクが充填される管状の軸部１１と、軸部１１の前端部分に備えられ、内部のインクを外部に導いて紙面に転写させるペン先１２とを有している。
【００４７】
グリップ２は、使用者に握られる部位であり、第２実施形態では、板状部材からなる湾曲部４と、湾曲部４の後端部分に設けられ、筆記具１００の後端部分を保持する保持部５と、湾曲部４の前端に設けられた位置調節部３とから構成される。
【００４８】
湾曲部４は、合成樹脂、紙、金属等の可撓性を有し、弾性的に湾曲する部材で形成された、厚みの薄い板状部材であり、図５（ａ）〜（ｆ）に示すように、ペン本体１の略中央部分において、ペン本体１の軸方向と平行に延びるように略楕円状に形成されている。
【００４９】
保持部５は、図５及び図６に示すように、プラスチック製、陶器、金属製、紙製、木製等の素材で形成され、ペン本体１の後端部分１３を保持する部材である。第２実施形態では、軸部１１の径よりも厚みを有しており、軸部１１の軸上であって位置調節部３と向かい合う面に、軸部１１の径と略同径の係合孔５１が形成されている。そして、この係合孔５１にペンの後端部分１３を挿通させることで、軸部１１を保持するようになっている。
【００５０】
位置調節部３は、図５及び図６に示すように、プラスチック製、陶器、金属製、紙製、木製等の素材で形成されており、軸部１１の径よりも厚みを有し、ペン本体１の前端部分であるペン先１２を覆うように内部中空に形成されている。具体的に、位置調節部３は、軸部１１の軸上に当該位置調節部３を貫通する挿通孔３１が形成されている。この挿通孔３１は、軸部１１の径よりも大きい径を有する孔となっており、ペン本体１と接触しないようになっている。
【００５１】
このような構成を有するグリップ２は、図４（ａ）に示すように、湾曲部４の両端に、保持部５及び位置調節部３がそれぞれ連結されており、保持部５と位置調節部３との間にペン本体１が配置されている。そして、ペン本体１の後端部分１３は係合孔５１に嵌め込まれて保持され、ペン先１２は挿通孔３１に挿通されている。
【００５２】
このような状態から、位置調節部３を掴み、保持部５側からペン本体１を位置調節部３側に押し出して、位置調節部３を軸部１１に沿ってスライド移動させると、図４（ｂ）及び図６（ａ）〜（ｆ）に示すように、位置調節部３及び保持部５間の距離が短くなり、湾曲部４の板状部材は、その可撓性によって湾曲されるようになっている。また、この場合には、ペン先１２が位置調節部３から外部に突出するようになっている。
【００５３】
（作用・効果）
このような第２実施形態によれば、挿通孔３１に軸部１１を挿通させ、位置調節部３を軸部１１に沿ってスライド移動させることにより、位置調節部３及び保持部５間の距離を伸縮させることができる。そして、この位置調節部３及び保持部５間の伸縮により、板状部材が湾曲されて、湾曲部４が膨らんだり縮んだりされ、板状部材の可撓性・柔軟性から、湾曲部４全体の形状を任意の形状に変化させることができる。このような湾曲部４の膨張・収縮及び変形を適宜調整することにより、使用者の掌中にフィットする形状及びサイズとすることができ、その結果、グリップと掌中とが接触する表面積が増加し、筆記具１００の持ち易さを向上させることができる。
【００５４】
特に、本実施形態では、本来器具の一部を構成するリフィル用の芯に直接グリップ２を装着可能であるため、従来用いられていたボールペンのケースやキャップ等の部材が不要となり、その結果、部品点数を減らし、製造コストを軽減させることができる。
【００５５】
また、第２実施形態では、湾曲部４が各使用者の掌中に応じて変形するため、変形がユニークであり、娯楽性も向上されるとともに、そのユニークな変形を前提として器具をデザインできることから、デザインの多様化を期待することができる。
【００５６】
（変形例１）
次いで、第２実施形態の変形例１について説明する。上述した第２実施形態では、一枚の板状部材によって湾曲部４を形成したが、本変形例では、２つの板状部材によって湾曲部４ａを形成されることを特徴とする。
【００５７】
図７（ａ）は、本変形例１に係る筆記具１００ａの全体構成を示す斜視図であり、同図（ｂ）は、変形例１に係る筆記具１００ａの変形時における状態を示す斜視図である。図５（ａ）〜（ｆ）は、図７（ａ）に示す筆記具１００ａの６面図であり、図９（ａ）〜（ｆ）は、図７（ｂ）に示す筆記具１００ａの６面図である。なお、本変形例において、上述した第２実施形態と同一の構成要素には同一の符号を付し、その機能等は特に言及しない限り同一であり、その説明は省略する。
【００５８】
本変形例１において、筆記具１００ａは、図７（ａ）に示すように、グリップ２ａに一対の板状部材４１，４２からなる湾曲部４ａを備えている。この一対の板状部材４１，４２は、軸部１１を介して対向させて配置されている。そして、この一対の板状部材４１，４２の両端は、位置調節部３と保持部５とにそれぞれ連結されている。
【００５９】
このような変形例１によれば、湾曲部４ａは、軸部１１を挟んで、一対の板状部材４１，４２から形成されているため、位置調節部３を軸部１１に沿ってスライド移動させ、位置調節部３及び保持部５間の距離を伸縮させることで、一対の板状部材４１，４２が、軸部１１を介して反対側に湾曲されて、図７（ｂ）や図９（ｃ）に示すように、湾曲部４ａ全体の形状を楕円や略菱形とさせることができる。このように、全体の形状を楕円や略菱形に変形可能であるため、筆記具１００ａを握る際、例えば、一方の板状部材４１を掌に沿って変形させるとともに、他方の板状部材４２を親指に沿って変形させることができる。したがって、本変形例によれば、使用者の掌中に接触する湾曲部４ａの表面積をさらに増加させて、器具の持ち易さをより向上させることができる。
【００６０】
（変形例２）
次いで、本考案の変形例２について説明する。本変形例では、筆記具１００ｂのグリップ２ｂが一枚のシート部材からなり、位置調節部、湾曲部、及び保持部が一体的に形成されていることを特徴とする。
【００６１】
図１０（ａ）は、変形例２に係る筆記具の全体構成を示す斜視図であり、同図（ｂ）は、変形例２に係る筆記具の変形時における状態を示す斜視図である。図１１（ａ）〜（ｆ）は、図１０（ａ）に示す筆記具の６面図であり、図１２（ａ）〜（ｆ）は、図１０（ｂ）に示す筆記具の６面図である。なお、本変形例において、上述した第２実施形態及び変形例１と同一の構成要素には同一の符号を付し、その機能等は特に言及しない限り同一であり、その説明は省略する。
【００６２】
本変形例２においても、ペン本体１ａは、ボールペンの芯が用いられており、ペン本体１ａの後端部分１３には、図１０（ａ）及び（ｂ）に示すように、軸部１１の内部中空と外部とを連通する開口部１３ａが形成されている。
【００６３】
一方、グリップ２ｂは、可撓性を有する合成樹脂、紙等のシート部材によって、一体的に形成されており、シート部材を折り曲げて成形されている。そして、本変形例２において、グリップ２ｂは、一枚の板状部材から形成される湾曲部４ｂと、湾曲部４ｂの後端部分に設けられた保持部５ａと、湾曲部４ｂの前端に設けられた位置調節部３ａとから構成される。
【００６４】
保持部５ａは、一端が湾曲部４ｂと連結され、他端に開口部１３ａに差し込まれる差込片５２が形成されている。この差込片５２は、図１１（ａ）及び（ｃ）に示すように、側面視で略コの字形に湾曲した形状をなしており、開口部１３ａに向かって突出している。そして、この差込片５２が開口部１３ａに差し込まれることで、軸部１１と係合されてペン本体１ａを保持するようになっている。
【００６５】
位置調節部３ａは、一端が湾曲部４ｂと連結され、図１１（ａ）及び（ｃ）に示すように、側面視で略コの字形に湾曲した形状をなしており、その内部にペン本体１ａを収納する空間部が形成されている。また、位置調節部３ａは、軸部１１を介して湾曲部４ｂとは反対側に把持部３２が形成されるとともに、略コの字状の湾曲部分（軸部１１の軸上）に、ペン本体１ａのペン先１２を挿通させる挿通孔３３が形成されている。
【００６６】
挿通孔３３は、本変形例２においても、軸部１１の径より大きい形状をなしており、位置調節部３ａが軸部１１をスライド移動した際には接触しないようになっている。把持部３２は、ペン本体１ａのペン先１２を覆う部材であり、湾曲部４ｂと反対側に向けて突出した凸状をなしている。本変形例２において、把持部３２は軸部１１の軸に沿って山折りの折り目３２ｃが形成されており、この山折りの折り目３２ｃが湾曲部４ｂと反対側に向けて突出している。
【００６７】
折り目３２ｃを介して形成される２つの斜面片３２ａ，３２ｂは、図１１（ｅ）及び（ｆ）に示すように、湾曲部４ｂの板部材に対して所定の角度で傾斜している。この２つの斜面片３２ａ，３２ｂは、図１１（ｂ）及び図１２（ｂ）に示すように、挿通孔３３が形成された湾曲部分から後端部分側に向かって幅が広くなるように形成されており、その長さは、グリップ２全体の略半分となっている。また、２つの斜面片３２ａ，３２ｂは、シート部材の可撓性によって、指で把持された場合には変形されるようになっており、指の表面にフットする形状となっている。なお、本変形例２では、この把持部３２の表面に、ゴム、熱可塑性エラストマー等の弾性体を形成させて、滑り難くすることもできる。
【００６８】
このような変形例２によれば、第２実施形態と同様な効果を奏する。さらに、本変形例によれば、湾曲部４ｂ、保持部５ａ、及び位置調節部３ａとは一体形成されているので、部品点数及び組立て工数を減少することができ、製造コストを低減させることができる。また、部品点数及び組立て工数を減少することにより、組み立て精度が向上される。
【００６９】
また、本変形例２によれば、ペン本体１ａの開口部１３ａに差込片５２を差し込んで、ペン本体１ａを保持しているので、各メーカーから製造され、規格サイズの異なる各ボールペンの芯に対して、同一のグリップ２ｂを用いることができるため、汎用性を持たせることができる。また、ペン芯の径の大きさやサイズに応じて異なる大きさの収納ケースを製造する必要がないため、部品点数を減らし、製造コストを軽減させることができる。
【００７０】
さらに、本変形例２では、グリップ２ｂには、凸状の把持部３２を有しているので、図１３（ａ）及び（ｂ）に示すように、親指と人差しとで斜面片３２ａ，３２ｂを掴むことで、指と把持部３２とが接触する表面積を増加させることができ、その結果、筆記具を持ち易くすることができる。さらに、湾曲部４ｂは、図１３（ａ）及び（ｂ）に示すように、把持部３２の突出した方向とは反対側に湾曲されているので、使用者の掌中にフィットする形状及びサイズとすることができ、より筆記具を安定させて筆記具を持ち易くすることができる。
【００７１】
［変形例］
なお、上述した各実施形態及び各変形例の説明は、本考案の一例である。このため、本考案は上述した各実施形態やその変形例に限定されることなく、本考案に係る技術的思想を逸脱しない範囲であれば、設計等に応じて種々の変更が可能であることはもちろんである。
【００７２】
例えば、各実施形態及び各変形例における湾曲部、保持部、及び位置調節部の形状及び大きさは、上述した形状に限定するものではなく、器具の大きさ及び形状にあわせて、種々の形状及び大きさに変更可能である。また、器具に対するグリップ２の位置は、上述した各実施形態及び各変形例に限定されるものではなく、湾曲部が掌中にフィットするように変形すればよく、装着される各器具に応じて位置が変更可能である。
【符号の説明】
【００７３】
１…器具、ペン本体
１ａ…ペン本体
２，２ａ，２ｂ…グリップ
３，３ａ…位置調節部
４，４ａ，４ｂ…湾曲部
５，５ａ…保持部
６…スペーサー
１０ａ…フライ返し
１０ｂ…歯ブラシ
１１…軸部
１２…前端部分（ペン先）
１３…後端部分
１３ａ…開口部
１４…ヘッド部
１５…返し部
３１…挿通孔
３２…把持部
３２ａ，３２ｂ…斜面片
３２ｃ…折り目
３３…挿通孔
４１，４２…板状部材
５１…係合孔
５２…差込片
５３…挿通孔
６１…挿通孔
１００，１００ａ，１００ｂ…筆記具
【図１】
0003185954.tif 000003
【図２】
0003185954.tif 000004
【図３】
0003185954.tif 000005
【図４】
0003185954.tif 000006
【図５】
0003185954.tif 000007
【図６】
0003185954.tif 000008
【図７】
0003185954.tif 000009
【図８】
0003185954.tif 000010
【図９】
0003185954.tif 000011
【図１０】
0003185954.tif 000012
【図１１】
0003185954.tif 000013
【図１２】
0003185954.tif 000014
【図１３】
0003185954.tif 000015